(57)【要約】  本発明の一実施形態によれば、インプラントが分離可能に結合され得るインプラント固定部と、インプラント固定部を含む密封キャップと、ケースと、を含み、前記密封キャップと前記ケースは内部空間を形成し、前記ケースは、内部が空いている筒の形状として一部分が開放され、前記ケースの開放された部分と前記密封キャップとが結合されたものであって、前記内部空間を形成し、前記インプラントは、前記インプラント固定部に「壊れやすいカップリング」されているものである、歯科用インプラント包装容器が開示される。
2020508809.tif 000002
【特許請求の範囲】
【請求項１】
インプラントが分離可能に結合されるインプラント固定部と、
インプラント固定部を含む密封キャップと、
ケースと、
を含み、
前記密封キャップと前記ケースとは結合して内部空間を形成し、
前記ケースは、内部が空いている筒の形状として一部分が開放されており、
前記ケースの開放された部分と前記密封キャップとが結合されることによって前記内部空間を形成し、
前記インプラントと前記インプラント固定部は、「壊れやすいカップリング」方式により結合されるものである、歯科用インプラント包装容器。
【請求項２】
前記ケースと前記密封キャップとが結合した箇所にアルミニウムテープが付着されるものである、請求項１に記載の歯科用インプラント包装容器。
【請求項３】
前記インプラント固定部は円錐形を有し、前記インプラントは前記円錐の頂点に結合されたものである、請求項１に記載の歯科用インプラント包装容器。
【請求項４】
前記インプラント固定部はスティックの形状を有し、前記スティックの一端部は円錐の形状を有し、前記円錐の頂点は前記インプラントに結合されたものである、請求項１に記載の歯科用インプラント包装容器。
【請求項５】
前記密封キャップはツーピースで構成され、前記ツーピースの第１ピースと第２ピースは分離可能に結合され、前記第２ピースと前記インプラントは「壊れやすいカップリング」方式により結合されたものである、請求項１に記載の歯科用インプラント包装容器。
【請求項６】
前記第１ピースと前記第２ピースは、重力により分離可能な結合構造によって結合されたものである、請求項５に記載の歯科用インプラント包装容器。
【請求項７】
前記第２ピースは、ガイド部とボディ部を含み、
前記ガイド部の一端部は、前記ボディ部の上部に結合し、
前記ガイド部の残りの端部は自由端であり、
前記ガイド部は、前記第２ピースが底におかれているとき、前記インプラントが前記底に接触しないように前記インプラントを取り囲む構造を有し、
前記ボディ部の上部に前記インプラント固定部が位置し、
前記インプラント固定部に前記インプラントが「壊れやすいカップリング」方式により結合されたものである、請求項５に記載の歯科用インプラント包装容器。
【請求項８】
前記インプラント固定部は円錐形を有し、前記インプラントは前記円錐の頂点に結合されたものである、請求項７に記載の歯科用インプラント包装容器。
【請求項９】
前記インプラント固定部はスティックの形状を有し、前記スティックの一端部は円錐の形状を有し、前記円錐の頂点は前記インプラントに結合されたものである、請求項８に記載の歯科用インプラント包装容器。
【請求項１０】
前記ガイド部は、前記インプラントを取り囲む一対のガイドバーを含み、
前記一対のガイドバーは、前記ボディ部に各々結合され、
前記一対のガイドバーは、互いに離隔し、前記インプラントを挟んで互いに対向して位置するものである、請求項７に記載の歯科用インプラント包装容器。
【請求項１１】
前記第１ピースと前記第２ピースは、重力により分離可能な結合構造によって結合されたものである、請求項７に記載の歯科用インプラント包装容器。
【請求項１２】
第１ピースには、前記ボディ部が挿入され得る挿入空間を有し、挿入空間の直径は、前記ボディ部が挿入される部分の直径よりも大きく構成されたものである、請求項７に記載の歯科用インプラント包装容器。
【発明の詳細な説明】
【技術分野】
【０００１】
本発明は、壊れやすいカップリング方式の歯科用インプラント包装容器に関する。
【背景技術】
【０００２】
一般的に、インプラントフィクスチャー（ｉｍｐｌａｎｔ  フィクスチャー）（以下、「インプラント」又は「インプラントフィクスチャー」）は、周知のように、口腔内部の上・下顎骨に植立されるものであって、上・下顎骨に植立する施術以前まで滅菌状態を保持するよう、別途の包装材に入れ込んで保管されているが、従来はこのようなインプラントフィクスチャーを入れ込み状態に包装及び保管する包装材が数多く開発され、市中に普及及び使用されている実状である。
【０００３】
例えば、大韓民国登録実用新案公報２０−０３０３３５１号、大韓民国登録実用新案公報２０−０４４１０７２号、大韓民国公開特許公報２０１４−００５９０４４号には、インプラントフィクスチャーの包装材が開示されている。
【０００４】
一方、インプラントフィクスチャーは、包装材に入れ込む前に生体活性度を高めるために紫外線処理を行って超親水性に改質する過程を経由して入れ込むが、時間がある程度経過すれば、超親水性の特性が低くなるため、インプラントフィクスチャーを包装材から取り出して再び超親水性処理しなければならない。このような過程で、インプラントフィクスチャーは空気と接触するため汚染される恐れが大きい。したがって、従来におけるインプラントフィクスチャーは、長時間保管し難く、工場で出庫された後は可能な限り迅速に使用しなければならない。
【発明の概要】
【発明が解決しようとする課題】
【０００５】
本発明の一実施形態によれば、インプラントが汚染されずに、長時間保管できる歯科用インプラント包装容器が提供される。
【０００６】
本発明の一実施形態によれば、手によってインプラントが汚染されずに、インプラントを植立可能にする歯科用インプラント包装容器が提供される。
【０００７】
本発明の一実施形態によれば、インプラントの生体活性度を高めるために、インプラントが親水性を保持し、親水性処理が容易になるように構成された歯科用インプラント包装容器が提供される。
【課題を解決するための手段】
【０００８】
本発明の一実施形態によれば、インプラントが分離可能に結合されるインプラント固定部と、インプラント固定部を含む密封キャップと、ケースとを含み、前記密封キャップと前記ケースとは結合して内部空間を形成し、前記ケースは、内部が空いている筒の形状として一部分が開放され、前記ケースの開放された部分と前記密封キャップとが結合されることによって前記内部空間を形成し、前記インプラントと前記インプラント固定部は、「壊れやすいカップリング」方式により結合されているものである歯科用インプラント包装容器が提供される。
【発明の効果】
【０００９】
本発明の１つ以上の実施形態によれば、インプラントが使用直前まで密閉された空間に位置するため、汚染されることはない。
【００１０】
本発明の１つ以上の実施形態によれば、手によってインプラントが全く触られることなく、インプラントを植立することができる。
【００１１】
本発明の１つ以上の実施形態によれば、インプラントが密閉された空間に位置する状態で親水性処理（例えば、紫外線照射）が行われるため、便利性は勿論、インプラントが汚染される恐れがない。
【００１２】
本発明の１つ以上の実施形態によれば、インプラントと共に紫外線に露出される構成要素は、親水性を悪化させる粒子が生成されない物質でコーティングされたり、構成されているため、紫外線の処理後にもインプラントの親水性が悪化することなく保持されることができる。
【００１３】
本発明の１つ以上の実施形態によれば、インプラント表面固有の物理的な形状を変化させない紫外線（ＵＶ）を照射してインプラントの疎水性表面を超親水性表面に改質し、改質された表面の超親水性を長時間保持するように保管でき、このように改質及び保管されたインプラントは、表面の体液及び血液親和性が向上されることで、インプラントの施術後に優れた初期の骨形成効果及びオッセオインテグレーション期間の短縮効果を取得することができる。
【図面の簡単な説明】
【００１４】
【図１】本発明の一実施形態に係る歯科用インプラント包装容器の分解斜視図である。
【図２】本発明の一実施形態に係る歯科用インプラント包装容器の透明斜視図である。
【図３】本発明の一実施形態に係る歯科用インプラント包装容器を使用する方法を説明するための図である。
【図４】図２に示す実施形態でアルミニウムテープを取り除いた状態を示すものである。
【図５】本発明の他の実施形態に係る歯科用インプラント包装容器を説明するための図である。
【図６】本発明の他の実施形態に係る歯科用インプラント包装容器を説明するための図である。
【図７】本発明の他の実施形態に係る歯科用インプラント包装容器を説明するための図である。
【図８】本発明の他の実施形態に係る歯科用インプラント包装容器を説明するための図である。
【図９】本発明の他の実施形態に係る歯科用インプラント包装容器を説明するための図である。
【図１０】本発明の他の実施形態に係る歯科用インプラント包装容器を説明するための図である。
【図１１】本発明の他の実施形態に係る歯科用インプラント包装容器を説明するための図である。
【発明を実施するための形態】
【００１５】
以上の本発明の目的、他の目的、特徴、及び利点は、添付の図面に関する以下の好適な実施形態によって容易に理解されるのであろう。しかし、本発明は、ここで説明される実施形態に限定されることなく、別の形態に具体化されてもよい。むしろ、ここで紹介される実施形態は、開示された内容が徹底かつ完全になるよう、そして、当業者に本発明の思想を十分に伝達するために提供される。
【００１６】
ここで説明されて例示される実施形態は、その相補的な実施形態も含む。本明細書において、単数は文面で特に言及しない限り複数型も含む。明細書で用いられる「含む（ｃｏｍｐｒｉｓｅ）及び／又は（ｃｏｍｐｒｉｓｉｎｇ）」は、言及された構成要素は１つ以上の他の構成要素の存在又は追加を排除しない。
【００１７】
図１及び図２は、それぞれ本発明の一実施形態に係る歯科用インプラント包装容器の分解斜視図及び透明斜視図である。
【００１８】
この図面を参照すると、本発明の一実施形態に係る歯科用インプラント包装容器は、ケース１１１、インプラント１１３、及び密封キャップ１８０を含む。
【００１９】
密封キャップ１８０とインプラント１１３は結合している。
【００２０】
本実施形態では、密封キャップ１８０とインプラント１１３は、「壊れやすいカップリング」方式によって結合されている。
【００２１】
本願明細書では、文句「壊れやすいカップリング（ｂｒｅａｋａｂｌｅ  ｃｏｕｐｌｉｎｇ）」は、物理的な外力がなければ結合を保持するが、人の意図的な物理的な外力があった場合に壊れやすく結合されたものを意味する。「壊れやすいカップリング」に対する追加的な説明については後述する。
【００２２】
ケース１１１と密封キャップ１８０は、密閉空間を形成するよう互いに結合されている。ここで、ケース１１１は、紫外線が透過する材質から構成される。例えば、ケース１１１は石英のような材質から構成されてもよい。
【００２３】
本実施形態によれば、歯科用インプラント包装容器は、密封キャップカバー１５３をさらに含む。
【００２４】
本実施形態に係る密封キャップカバー１５３は密封キャップ１８０と結合し、密封キャップカバー１５３は、インプラント用カバースクリュー１５２が内蔵される空間を提供する。インプラント用カバースクリュー１５２は、インプラント１１３が歯ぐきに植立した後、インプラント１１３の汚染を防ぐためにインプラント１１３の上部に結合される構成要素である。
【００２５】
本実施形態に係るケース１１１は、内部が空いている筒の形状を有し、一端部は閉鎖され、残りの端部は開放されている。ケース１１１の開放端部は、密封キャップ１８０と結合する部分である。説明の目的のために、ケース１１１の閉鎖された端部を下部といい、開放された端部を上部という。
【００２６】
本実施形態に係るインプラント１１３は、ケース１１１と密封キャップ１８０とが結合して形成された内部空間に位置する。本願明細書では、ケース１１１と密封キャップ１８０の結合によって外部から空気の流入を遮断するように形成された空間を「密封空間」又は「内部空間」と呼ぶことにする。
【００２７】
本実施形態に係る密封キャップ１８０は、インプラント固定部１６１、ケース１１１の内部に挿入される挿入部１６２、連結部１６３、及びベース部１６４を含む。
【００２８】
インプラント固定部１６１の一端部とインプラント１１３は、「壊れやすいカップリング」方式により結合され、インプラント固定部１６１の他端部は、挿入部１６２に結合される。
【００２９】
挿入部１６２は、ケース１１１の内部に挿入され得る形状及び大きさを有し、例えば、筒の形状を有してもよい。
【００３０】
図３は、本発明の一実施形態に係る歯科用インプラント包装容器における壊れやすいカップリングを説明するための図である。
【００３１】
図３を参照すると把握されるが、インプラント１１３とインプラント固定部１６１は「壊れやすいカップリング」方式で互いに結合され、したがって、両方１１３，１６１は、ユーザの物理的な力によって容易に分離され得る。
【００３２】
一実施形態によれば、インプラント固定部１６１とインプラント１１３が結合されている部分は、人の物理的な力を受けると壊れやすい材質、形状、及び大きさで構成される。
【００３３】
本実施形態によれば、インプラント固定部１６１は円錐形に構成され、円錐の頂点がインプラント１１３と「壊れやすいカップリング」方式により結合されている。
【００３４】
片手で把持しているドライバ（図示せず）をインプラント１１３のヘッドに挟み、残りの手で密封キャップ１８０のベース部１６４を把持し、インプラント１１３とインプラント固定部１６１が互いにずれるように、いずれかの手又は両手に力を加えれば、図３に例示的に示すように、インプラント１１３はインプラント固定部１６１から容易に分離できる。
【００３５】
挿入部１６２は筒形状に構成されることができ、そのような筒形状の一側面は、連結部１６３を介してベース部１６４と連結され、そのような筒形状の他の側面は、ケース１１１の内部に挿入されて分離可能に結合されている。
【００３６】
挿入部１６２とケース１１１は、内部空間に空気が流入されないように結合している。
【００３７】
本実施形態によれば、ケース１１１の上部と密封キャップ１８０が互いに向い合って接し、向かい合って接した部分にテープ１４６（１４６ａ、１４６ｂ）が付着されている。すなわち、密封キャップ１８０の連結部１６３とケース１１１の開放された端部が互いに向い合って接しており、接した部分にテープ１４６（１４６ａ、１４６ｂ）が付着されることで、内部空間は外部から空気流入されないように密閉されている。勿論、テープ１４６（１４６ａ、１４６ｂ）は、破れる材質から構成され、テープ１４６（１４６ａ、１４６ｂ）が破れると、ケース１１１と密封キャップ１８０は容易に分離することができる。
【００３８】
テープ１４６（１４６ａ、１４６ｂ）を破る方法は、ケース１１１を片手で把持し、他の手では密封キャップ１８０のベース部１６４を把持した後、互いに反対方向に回転させれば、ケース１１１の上部と密封キャップ１８０が接した部分が容易に破られる。
【００３９】
図４は、図２に示す実施形態でテープを取り除いた状態を示すものである。
【００４０】
図４を参照すると、ケース１１１と密封キャップ１８０の連結部１６３が互いに向い合って接した部分Ｃを示し、そのように接した部分Ｃを覆うように、上述したように、テープ１４６が付着されている。テープ１４６は、一面が接着性材質から構成されているため、接した部分Ｃに容易に付着される。接した部分Ｃを説明するために、図４にはテープ１４６を図示していない。
【００４１】
本実施形態において、ケース１１１と密封キャップ１８０が互いに接する部分Ｃを表面でテープ１４６（１４６ａ、１４６ｂ）が取り囲む方式で付着され、これは、ケース１１１と密封キャップ１８０の接した状態を保持させることで内部空間に空気流入されないようにするためである。
【００４２】
本実施形態に係るテープ１４６（１４６ａ、１４６ｂ）は、アルミニウムテープのようなものであってもよいが、これは例示的なものであり、他の材質に使用されてもよい。
【００４３】
上述したように、ユーザがケース１１１と密封キャップ１８０のベース部１６４を互いに反対方向に回転すると、テープ１４６（１４６ａ、１４６ｂ）が破れる。
【００４４】
テープ１４６（１４６ａ、１４６ｂ）が破られた状態では、ケース１１１と密封キャップ１８０は容易に分離される構造を有する。
【００４５】
容易に分離される構造の一例は、テープ１４６（１４６ａ、１４６ｂ）が破られた状態で密封キャップ１８０とケース１１１を互いに遠ざかる方向にユーザが引っ張ると、密封キャップ１８０がケース１１１から容易に分離される構造である。すなわち、外部からの物理的な外力が加えられなければ、挿入部１６２とケース１１１は分離せず、外部から物理的な外力が加えられれば、挿入部１６２とケース１１１とが分離されるように、ケース１１１と挿入部１６２のそれぞれの形状、材質、及び大きさが決定される。
【００４６】
容易に分離される構造の他の例として、テープ１４６（１４６ａ、１４６ｂ）が破られた状態で密封キャップ１８０がケース１１１よりも地面から高く位置すれば、ケース１１１は地面に向かって自然に落下するような構造を有する。このように、テープ１４６（１４６ａ、１４６ｂ）が破られた後、ケース１１１を密封キャップ１８０よりも地面に近く位置すれば、ケース１１１が重力により自然に落下するように、ケース１１１の内部形状、材質、及び直径と挿入部１６２の形状、材質、及び直径が決定される。
【００４７】
例えば、挿入部１６２の形状は円筒状であり、材質は接着力のない性質を有し、ケース１１１の内部空間は、円筒状の挿入部１６２が挿入され得る形状を有し、ケース１１１の内部表面の材質は接着力のない性質を有する。また、ケース１１１の内部直径は、挿入部１６２の直径よりも少し大きい直径を有する。
【００４８】
本願明細書では、上述した容易に分離される構造のうち、特に重力によって分離される結合構造について、「重力により分離可能な結合構造」と称する。
【００４９】
図５、図６、図８、図１０、図１１は、本発明の他の実施形態に係る歯科用インプラント包装容器を説明するための図である。
【００５０】
前記図面を参照して説明する実施形態は、図１〜図４を参照して説明した実施形態と比較するとき、密封キャップ２８０がツーピース（ｔｗｏ  ｐｉｅｃｅｓ）に構成されている点で主要な差がある。したがって、以下では、このような主要な差異点を中心に説明する。
【００５１】
前記図面を参照すると、本発明の他の実施形態に係る歯科用インプラント包装容器は、ケース２１１、インプラント２１３、及び密封キャップ２８０を含む。
【００５２】
本実施形態に係る密封キャップ２８０は、ツーピース（ｔｗｏ  ｐｉｅｃｅｓ）に構成されている。一方、本発明の説明の目的のために、ツーピース（ｔｗｏ  ｐｉｅｃｅｓ）のいずれか１つを第１ピース２６０と呼び、残りの１つを第２ピース２７０と呼ぶ。
【００５３】
第１ピース２６０と第２ピース２７０は、容易に分離される結合構造を有する。容易に分離される結合構造に対する例示的な説明は、図１〜図４を参照して説明した部分が参照されたい。
【００５４】
密封キャップ２８０とインプラント２１３は、「壊れやすいカップリング」方式により結合され、具体的に、密封キャップ２８０の第２ピース２７０とインプラント２１３が「壊れやすいカップリング」方式により結合されている。より詳しくは、第２ピース２７０のインプラント固定部２７６とインプラント２１３が「壊れやすいカップリング」方式により結合されている。
【００５５】
本実施形態に係る第１ピース２６０は、連結部２６３とベース部２６４を含み、第２ピース２７０は、ガイド部２７１，２７２とボディ部２７３，２７４，２７５を含む。
【００５６】
ガイド部２７１，２７２は、インプラント２１３が外部に接触しないようにし、ドライバ（図示せず）でインプラント２１３を容易に分離可能にする構造を有する。
【００５７】
例えば、ガイド部２７１，２７２は、ドライバ（図示せず）でインプラント２１３を分離するとき、インプラント２１３が外部に容易に移動できるようにするための開放された領域Ｓ２を有する。
【００５８】
ガイド部２７１，２７２の一端部は、ボディ部２７３，２７４，２７５と結合して固定され、ガイド部２７１，２７２の残りの端部は自由端である。
【００５９】
上述したようなガイド部２７１，２７２の構造及び結合によって、第２ピース２７０がいかなる角度で底におかれても、インプラント２１３は底に接触しない。
【００６０】
これは、ガイド部２７１，２７２がインプラント２１３を取り囲む構造を有しているためである。例えば、ガイド部２７１，２７２は、インプラント２１３を完全に取り囲むのではなく、一部開放された領域Ｓ２を残して取り囲む。後述するが、そのような開放された領域Ｓ２を通過して、ドライバによって結合されたインプラント２１３が第２ピース２７０から容易に分離される。
【００６１】
ガイド部２７１，２７２は、ケース２１１の長手方向に突出した突出板２７１と、インプラント２１３を取り囲む一対のガイドバー２７２を含む。
【００６２】
本実施形態に係る一対のガイドバー２７２は、ボディ部２７３，２７４，２７５にそれぞれ結合されており、互いに離隔しており、インプラント２１３を挟んで互いに対向して位置する。
【００６３】
一対のガイドバー２７２のそれぞれの一端部は、ボディ部２７３，２７４，２７５と結合し、一対のガイドバー２７２のそれぞれの残りの端部は、半円形の環部Ｇによって連結されている。一方、半円形の環部Ｇに突出板２７１が結合されている。
【００６４】
上述したような、半円形の環部Ｇと一対のガイドバー２７２の配置及び構成は、開放空間Ｓ２を提供し、そのような開放空間Ｓ２を介してドライバ（図示せず）が自由にインプラント２１３に接近することができる。
【００６５】
本実施形態に係るボディ部２７３，２７４，２７５は、筒の形状に構成されている。
【００６６】
このような実施形態の容易な説明のために、筒の形状のボディ部２７３，２７４，２７５を、上部２７３、中部２７４、及び下部２７５を区分して説明することにする。
【００６７】
ここで、上部２７３は、ガイド部２７１，２７２及びインプラント２１３との連結のための部分であり、中部２７４は、ユーザが把持しやすいようにする形状を有する部分であり、下部２７５は、第１ピース２６０と分離可能に結合される部分である。
【００６８】
上部２７３にはガイド部２７１，２７２が連結され、特に、一対のガイドバー２７２の端部が上部２７３と結合している。
【００６９】
上部２７３には、また、ホールＨが形成され、このようなホールＨにはインプラント固定部２７６が挿入されて位置している。
【００７０】
インプラント固定部２７６は、インプラント２１３と上部２７３が十分な距離だけ離隔した構造を有する。ここで、十分な距離は、インプラント２１３がインプラント固定部２７６と分離するとき、インプラント２１３が上部２７３に接しないか、又は分離が妨害されない程度の距離を指す。
【００７１】
インプラント固定部２７６は、例えば、スティックの形状を有してもよい。
【００７２】
スティック形状のインプラント固定部２７６の一端部はインプラント２１３と結合し、残りの端部は上部２７３と結合している。
【００７３】
一実施形態によれば、インプラント固定部２７６でインプラント２１３と結合される前記端部Ｃは、その直径が極めて小さいか、点に近いほどの直径を有する（図１１参照）。これは、インプラント２１３がインプラント固定部２７６から容易に分離可能にするためである。
【００７４】
本実施形態によれば、インプラント固定部２７６でインプラント２１３と結合される前記端部Ｃは円錐形を有し、円錐の頂点がインプラント２１３と結合される。
【００７５】
インプラント固定部２７６で上部２７３と結合される前記残りの端部は、上部２７３に形成されたホールＨに挿入されるほどの直径を有する。
【００７６】
一方、インプラント固定部２７６で上部２７３と結合される前記残りの端部は、ホールＨに固定されて結合されたり、又は、ホールＨで移動できるように移動可能に結合されてもよい。
【００７７】
本実施形態に係る歯科用インプラント包装容器は、密封キャップカバー２５３をさらに含んでもよく、密封キャップカバー２５３は、インプラント用カバースクリュー２５５の内蔵される空間を提供する。
【００７８】
ケース２１１と密封キャップ２８０は、密閉された空間を形成するように互いに結合している。
【００７９】
上述したように、インプラント２１３とインプラント固定部２７６は、「壊れやすいカップリング」されている。図１１を参照すると把握できるように、インプラント２１３とインプラント固定部２７６は、可能な限り狭い接点Ｃを有しながら「壊れやすいカップリング」されている。
【００８０】
一方、本実施形態では、第１ピース２６０と第２ピース２７０は「重力により分離可能な結合構造」によって互いに結合している。
【００８１】
例えば、第１ピース２６０の連結部２６３は、ボディ部の下部２７５が挿入され得る挿入空間Ｓ１を有し、このような挿入空間Ｓ１は、第１ピース２６０の連結部２６３が挿入される形状を有する。
【００８２】
また、挿入空間Ｓ１の直径ｄ２はボディ部が挿入される部分（すなわち、下部２７５）の直径ｄ１よりやや大きく構成され、第１ピース２６０と第２ピース２７０が重力により分離できるほど構成されている。
【００８３】
「重力により分離可能な結合構造」は、上述したように、第１ピース２６０を第２ピース２７０より地面から高く位置させると、自然に第２ピース２７０と第１ピース２６０が互いに分離される構造を意味する。このような結合構造は、インプラント２１３が汚染されないように寄与する。
【００８４】
本実施形態においても、テープ２４６（２４６ａ、２４６ｂ）が破れると、ケース２１１と第１ピース２６０が容易に分離される構造を有する。すなわち、図１ないし図４を参照して説明した実施形態において、ケース１１１と密封キャップ１８０が互いに容易に分離される構造を有するよう、これと同一又は類似にケース２１１と第１ピース２６０も容易に分離される構造を有する。
【００８５】
図７を参照して、ケース２１１と第１ピース２６０とが容易に分離される構造の一例を説明すると、テープ２４６（２４６ａ、２４６ｂ）が破られた状態でケース２１１と第１ピース２６０を互いに遠ざかる方向にユーザが引っ張ると、ケース２１１と第１ピース２６０とが容易に分離される。
【００８６】
図示していないが、ケース２１１と第１ピース２６０とが容易に分離される他の例を説明すれば、テープ２４６（２４６ａ、２４６ｂ）が破られた状態で第１ピース２６０をケース２１１より地面から高く位置させると、第１ピース２６０とケース２１１が自然に分離される。
【００８７】
一方、ボディ部２７３，２７４，２７５の一部（例えば、上部２７３と中部２７４）の長さとガイド部２７１，２７２の長さは、突出板２７１がケース２１１の内部の下部に接するか、又は微細な距離だけ離隔するほどに決定される。ここで、微細な距離は、例えば、５ミリ以下であり得る。
【００８８】
これは、第１ピース２６０と第２ピース２７０は「重力により分離可能な結合構造」によって互いに結合されているため、第２ピース２７０がケース２１１の内部で動かないようにしたり、又は動いても微細な動きだけを許容するためである。
【００８９】
したがって、テープ２４６（２４６ａ、２４６ｂ）が破られる前には、第２ピース２７０は、ケース２１１内部で動かないようにするか、又は微細な動きのみを許容する。
【００９０】
図９は、図５、図６、図８、図１０、及び図１１を参照して説明した実施形態に係る歯科用インプラント包装容器を使用する方法を説明するための図である。
【００９１】
図９は、図７に例示的に示した動作の後続動作を示す。
【００９２】
図７及び図８を参照して説明したように、ケース２１１と第１ピース２６０が分離し、第１ピース２６０と第２ピース２７０が分離すれば、第２ピース２７０が底におかれたり、又は、殺菌された材質の布の上におかれる。
【００９３】
このような状態で、ユーザは、片手で第２ピース２７０のボディ部２７３，２７４，２７５の一部（例えば、図面番号２７４として表示した個所）を把持し、他の手では、インプラント２１３のヘッドの部分にドライバＤを挿入及び加圧する。
【００９４】
このような状態で、ユーザがドライバＤやボディ部２７３，２７４，２７５に任意の方向（インプラントとインプラント固定部が分離され易い方向）に力を加えると、インプラント２１３とインプラント固定部２７６は分離する。上述したように、インプラント２１３とインプラント固定部２７６は、狭い接点Ｃを有しながら「壊れやすいカップリング」されているため、小さい物理的な外力によって互いに分離可能になる。
【００９５】
このように本発明が属する分野で通常の知識を有する者であれば、上述した明細書の記載から様々な修正及び変形が可能である。したがって、本発明の範囲は、説明された実施形態に限定され決定されることなく、特許請求の範囲及び特許請求の範囲と均等なものなどによって定められるのであろう。
【符号の説明】
【００９６】
１１３：インプラント
１１１：ケース
１１５；マウント
１８０：密封キャップ
１６１：インプラント固定部
１６２：挿入部
１６３：連結部
１６４：ベース部
１４６：テープ
【図１】
2020508809.tif 000003
【図２】
2020508809.tif 000004
【図３】
2020508809.tif 000005
【図４】
2020508809.tif 000006
【図５】
2020508809.tif 000007
【図６】
2020508809.tif 000008
【図７】
2020508809.tif 000009
【図８】
2020508809.tif 000010
【図９】
2020508809.tif 000011
【図１０】
2020508809.tif 000012
【図１１】
2020508809.tif 000013
【国際調査報告】
2020508809.tif 000014
2020508809.tif 000015
2020508809.tif 000016
2020508809.tif 000017